(57)【要約】【課題】操作者のＳＷ操作によって音声の出力中でも出力されている音声の速度を変更、一時停止、停止を可能とした給湯器制御装置を提供することを目的とする。【解決手段】操作部１と、スイッチ機能部２と、音声制御部６と、音声機能部８と、音声出力部１０とを備え、操作者が音声出力中に速度調整のスイッチを操作することにより、音声機能部８が音声データの出力速度を調整するので出力される音声の速が調節されることとなる。【選択図】図１
2006064235.tif 000002
【特許請求の範囲】
【請求項１】
操作者がスイッチ操作を行い所望の動作を入力する操作部と、各スイッチが押下された際にそれぞれのスイッチに該当する個別の機能を割り当てるスイッチ機能部と、それぞれのスイッチに該当する内部データを管理する内部データ管理部と、スイッチ機能部からどのスイッチを押下されたかの信号を受け取りその機能に該当するデータの表示を管理する表示制御部と、接続された給湯器本体との通信を行う通信部と、スイッチ機能部からどのスイッチを押下されたかの信号を受け取りその機能に該当する音声データの出力を管理する音声制御部と、表示データを作成する表示機能部と、音声データを作成する音声機能部と、表示機能部からの表示データを表示する表示部と、音声機能部からの音声データを出力する音声出力部からなる給湯器制御装置。
【請求項２】
操作者が出力されている音声の速度を調節する調節ＳＷを具備し、操作者のＳＷ操作によって音声の出力中でも出力されている音声の速度を変更することができる請求項１に記載の給湯器制御装置。
【請求項３】
更に該給湯制御装置は、操作者が出力されている音声の一時停止をする一時停止ＳＷを具備し、操作者のＳＷ操作によって、音声の出力中でも出力されている音声を一時停止することができる請求項１または２に記載の給湯器制御装置。
【請求項４】
操作者が出力されている音声の停止をする停止ＳＷを具備し、操作者のＳＷ操作によって、音声の出力中でも出力されている音声を停止することができる請求項１〜３のいずれか１項に記載の給湯器制御装置。
【請求項５】
操作者が出力されている音声の録音をする録音ＳＷ、録音した音声を再生する再生ＳＷを具備し、操作者のＳＷ操作によって、出力された音声をいつでも録音し、再生して聞くことができる請求項１〜４のいずれか１項に記載の給湯器制御装置。
【発明の詳細な説明】
【技術分野】
【０００１】
本発明は、操作者のスイッチ操作によって指示された動作を、液晶等の表示装置に反映させて表示し、同時に機器本体へも操作内容を送受信し、本体制御を行う制御装置に関するもので、特に給湯器の出湯温度を上昇、下降させたりすることが可能な給湯器制御装置に関するものである。
【背景技術】
【０００２】
従来、この種の給湯器制御装置として、図３に示すように、操作部１０１と、ＳＷ操作部１０２と、内部データ管理部１０３と、通信部１０４と、表示制御部１０５と、表示部１０６と、音声制御部１０７と、音声出力部１０８から構成されたものがある（例えば、特許文献１参照）。
【０００３】
図３は、特許文献１に記載された従来の給湯器制御装置を示すものである。図３に示すように、操作部１０１と、ＳＷ操作部１０２と、内部データ管理部１０３と、通信部１０４と、表示制御部１０５と、表示部１０６と、音声制御部１０７と、音声出力部１０８から構成されている。
【特許文献１】特開２００１−２７２０９６号公報
【発明の開示】
【発明が解決しようとする課題】
【０００４】
しかしながら、従来の給湯器制御装置は、音声の出力の速度の調節は、例えばメニューＳＷ操作などにより別途設定してからでないと、所望の速度にすることができず、音声出力を聞きながら所望の速度に調整できることはできないものとなっていた。
【０００５】
また従来、この種の給湯器制御装置は音声の出力はその場限りのもであり、事後に確認しようにも、確認の手段がなかった。
【０００６】
本発明は、前記従来の課題を解決するもので、操作者のＳＷ操作によって音声の出力中でも出力されている音声の速度を変更、一時停止、停止を可能とし、また、操作者のＳＷ操作によって音声の出力を記録、再生し事後でも出力された音声の確認を可能とした給湯器制御装置を提供することを目的とする。
【課題を解決するための手段】
【０００７】
前記従来の課題を解決するために、本発明の給湯器制御装置は、操作者がスイッチ操作を行い所望の動作を入力する操作部と、各スイッチが押下された際にそれぞれのスイッチに該当する個別の機能を割り当てるスイッチ機能部と、それぞれのスイッチに該当する内部データを管理する内部データ管理部と、スイッチ機能部からどのスイッチを押下されたかの信号を受け取りその機能に該当するデータの表示を管理する表示制御部と、接続された給湯器本体との通信を行う通信部と、スイッチ機能部からどのスイッチを押下されたかの信号を受け取りその機能に該当する音声データの出力を管理する音声制御部と、表示データを作成する表示機能部と、音声データを作成する音声機能部と、表示機能部からの表示データを表示する表示部と、音声機能部からの音声データを出力する音声出力部で構成したものである。
【０００８】
これによって、スイッチ機能部が、操作者によって操作部から入力された入力されたスイッチの機能を同定し、どの機能が選択されたかを知ることが出来る。また、通信部が本体機器からデータの受信行いどの機能が動作したか知ることができる。
【発明の効果】
【０００９】
本発明の給湯器制御装置は、操作者のＳＷ操作によって音声の出力中でも出力されている音声の速度を変更することができる。
【発明を実施するための最良の形態】
【００１０】
第１の発明は、操作者がスイッチ操作を行い所望の動作を入力する操作部と、各スイッチが押下された際にそれぞれのスイッチに該当する個別の機能を割り当てるスイッチ機能部と、それぞれのスイッチに該当する内部データを管理する内部データ管理部と、スイッチ機能部からどのスイッチを押下されたかの信号を受け取りその機能に該当するデータの表示を管理する表示制御部と、接続された給湯器本体との通信を行う通信部と、スイッチ機能部からどのスイッチを押下されたかの信号を受け取りその機能に該当する音声データの出力を管理する音声管理部と、接続された給湯器本体との通信を行う通信部と、表示データを作成する表示機能部と、音声データを作成する音声機能部と、表示機能部からの表示データを表示する表示部と、音声機能部からの音声データを出力する音声出力部を有する。
【００１１】
そして、スイッチ機能部が、操作者によって操作部から入力された入力されたスイッチの機能を同定し、どの機能が選択されたかを知ることが出来る。また、通信部が本体機器からデータの受信行いどの機能が動作したか知ることができる。
【００１２】
第２の発明は、特に、第１の発明の給湯器制御装置に、操作者が出力されている音声の速度を調節する調節ＳＷを具備することにより、操作者のＳＷ操作によって音声の出力中でも出力されている音声の速度を変更することができる。
【００１３】
第３の発明は、特に、第１または第２の発明の給湯器制御装置に、操作者が出力されている音声の一時停止をする一時停止ＳＷを具備することにより、操作者のＳＷ操作によって、音声の出力中でも出力されている音声を一時停止することができる。
【００１４】
第４の発明は、特に、第１〜３のいずれか１項記載の給湯器制御装置に、操作者が出力されている音声の停止をする停止ＳＷを具備することにより、操作者のＳＷ操作によって、音声の出力中でも出力されている音声を停止することができる。
【００１５】
第５の発明は、特に、第１〜４のいずれか１項記載の給湯器制御装置に、操作者が出力されている音声の録音をする録音ＳＷ、録音した音声を再生する再生ＳＷを具備することにより、出力された音声をいつでも録音し、再生して聞くことができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における給湯器制御装置の構成図である。
【００１８】
図１において、１は操作部、２はスイッチ機能部、３は内部データ管理部、４は表示制御部、５は通信部、６は音声制御部、７は表示機能部、８は音声機能部、９は表示部、１０は音声出力部である。
【００１９】
以上のように構成された給湯器制御装置について、以下その動作、作用を説明する。
【００２０】
まず、操作者は操作部１からスイッチ操作を行い所望の動作を入力する。
【００２１】
スイッチ機能部２は、割り当てられている各スイッチ個別の機能を検出し、割り当てられた機能信号を表示制御部４へ出力する。
【００２２】
同時にスイッチ機能部２は、割り当てられている各スイッチ個別の機能を検出し、割り当てられた機能信号を音声制御部６へ出力する。
【００２３】
また、内部データ管理部３は、スイッチに該当する内部データを管理し、必要に応じて内部データ（例えば給湯温度）の更新を行い、内部データを表示機能部７に出力する。
【００２４】
また、通信部５は給湯器本体、あるいは接続されている他制御装置からの通信データを受け取り、内部データ管理部３に出力する。内部データ管理部３は、操作情報と同様に必要に応じて通信情報から内部データを更新し、表示機能部７へ出力する。
【００２５】
更に表示機能部７は、内部データ管理部３からの信号により表示させるデータの作成を行い、表示部９へ出力する。その際、表示制御部４からの信号により、実際に点灯させる場合は本来のデータの出力を行い、表示させない場合はブランクデータを出力する。
表示部９は表示機能部７からのデータを表示する。
【００２６】
また、内部データ管理部３は、スイッチに該当する内部データを管理し、必要に応じて内部データ（例えば給湯温度）の更新を行い、内部データを音声機能部８に出力する。
【００２７】
また、通信部５は給湯器本体、あるいは接続されている他制御装置からの通信データを受け取り、内部データ管理部３に出力する。内部データ管理部３は、操作情報と同様に必要に応じて通信情報から内部データを更新し、音声機能部８へ出力する。
【００２８】
更に音声機能部８は、内部データ管理部３からの信号により出力させる音声データの作成を行い、音声出力表示部１０へ出力する。その際、音声制御部６からの信号により、実際に出力させる場合は本来のデータの出力を行い、出力させない場合は無音データを出力する。
【００２９】
音声出力部１０は音声機能部８からの音声データを出力する。
【００３０】
以上のように、本実施の形態においては操作者のスイッチ操作を適当な音声データに割り当てて音声データを出力することにより、スイッチ操作に応じた音声を出力することができる。
【００３１】
（実施の形態２）
図２は、本発明の第２の実施の形態の給湯器制御装置の構成図である。
【００３２】
図２において、２１加速スイッチ、２２は減速スイッチ、２３はＳＷ操作部、２４は音声制御部、２５は音声機能部、２６は音声出力部である。
【００３３】
以上のように構成された給湯器制御装置について、以下その動作、作用を説明する。
【００３４】
操作者は音声出力部２６から音声が出力されているとき、その速度を早めようと思い、加速スイッチ２１を操作する。
【００３５】
あるいは操作者は音声出力部２６から音声が出力されているとき、その速度を遅めようと思い、還俗スイッチ２２を操作する。
【００３６】
加速スイッチ２１、または減速スイッチ２２の操作は、ＳＷ操作部２３によってそのスイッチを同定する信号に変換され音声制御部２４に出力される。
【００３７】
音声機能部２４は、入力された信号から、音声データの加速、減速を制御する信号を音声機能部２５へ出力する。音声機能部２５は、現在出力している音声データに加速、減速を制御する信号を加味して音声出力部２６へ音声データを出力する。
【００３８】
以上のように、本実施の形態においては操作者のスイッチ操作により、スイッチ操作に応じた速度で音声を出力することができる。
【００３９】
（実施の形態３）
図２は、本発明の第３の実施の形態の給湯器制御装置の構成図である。
【００４０】
図２において、３１は一時停止スイッチ、２３はＳＷ操作部、２４は音声制御部、２５は音声機能部、２６は音声出力部である。
【００４１】
以上のように構成された給湯器制御装置について、以下その動作、作用を説明する。
【００４２】
操作者は音声出力部２６から音声が出力されているとき、その出力を一時停止しよう思い、一時停止スイッチ３１を操作する。
【００４３】
一時停止スイッチ３１の操作は、ＳＷ操作部２３によってそのスイッチを同定する信号に変換され音声制御部２４に出力される。
【００４４】
音声機能部２４は、入力された信号から、音声データの一時停止を制御する信号を音声機能部２５へ出力する。音声機能部２５は、一時停止を制御する信号により、現在音声出力部２６へ出力している音声データを一時停止する。
【００４５】
以上のように、本実施の形態においては操作者のスイッチ操作により、音声の出力を一時停止することができる。
【００４６】
（実施の形態４）
図２は、本発明の第４の実施の形態の給湯器制御装置の構成図である。
【００４７】
図２において、４１は停止スイッチ、２３はＳＷ操作部、２４は音声制御部、２５は音声機能部、２６は音声出力部である。
【００４８】
以上のように構成された給湯器制御装置について、以下その動作、作用を説明する。
【００４９】
操作者は音声出力部２６から音声が出力されているとき、その出力を停止しよう思い、停止スイッチ４１を操作する。
【００５０】
停止スイッチ４１の操作は、ＳＷ操作部２３によってそのスイッチを同定する信号に変換され音声制御部２４に出力される。
【００５１】
音声機能部２４は、入力された信号から、音声データの停止を制御する信号を音声機能部２５へ出力する。音声機能部２５は、停止を制御する信号により、現在音声出力部２６へ出力している音声データを停止する。
【００５２】
以上のように、本実施の形態においては操作者のスイッチ操作により、音声の出力を停止することができる。
【００５３】
（実施の形態５）
図２は、本発明の第５の実施の形態の給湯器制御装置の構成図である。
【００５４】
図２において、５１は録音スイッチ、５２は再生スイッチ、２３はＳＷ操作部、２４は音声制御部、２５は音声機能部、２６は音声出力部、５３は音声記録部である。
【００５５】
以上のように構成された給湯器制御装置について、以下その動作、作用を説明する。
【００５６】
操作者は音声出力部２６から音声が出力されているとき、その出力を録音しよう思い、録音スイッチ５１を操作する。
【００５７】
録音スイッチ５１の操作は、ＳＷ操作部２３によってそのスイッチを同定する信号に変換され音声制御部２４に出力される。
【００５８】
音声機能部２４は、入力された信号から、音声データの録音を制御する信号を音声機能部２５へ出力する。音声機能部２５は、録音を制御する信号により、現在音声出力部２６へ出力している音声データを音声記録部５３にも出力する。
【００５９】
音声記録部５３は、この音声データを記録する。
【００６０】
また操作者は、記録されている音声データを再生しようと思い、再生スイッチ５２を操作する。
【００６１】
再生スイッチ５２の操作は、ＳＷ操作部２３によってそのスイッチを同定する信号に変換され音声制御部２４に出力される。
【００６２】
音声機能部２４は、入力された信号から、音声データの再生を制御する信号を音声機能部２５へ出力する。音声機能部２５は、再生を制御する信号により、再生信号を音声記録部５３へ出力する。
【００６３】
音声記録部５３は、再生信号により記録されている音声データを音声出力部２６へ出力する。
【００６４】
音声出力部２６は、この音声データを出力する。
【００６５】
以上のように、本実施の形態においては操作者のスイッチ操作により、音声の出力を録音、再生することができる。
【産業上の利用可能性】
【００６６】
以上のように、本発明にかかる給湯器制御装置は、操作者のＳＷ操作によって音声の出力中でも出力されている音声の速度を変更することが可能となるので、トランシーバーなどの通信機器等の用途にも適用できる。
【図面の簡単な説明】
【００６７】
【図１】本発明の実施の形態１における給湯器制御装置の構成図
【図２】本発明の実施の形態２、３、４、５における給湯器制御装置の構成図
【図３】従来の給湯器制御装置の構成図
【符号の説明】
【００６８】
１  操作部
２  スイッチ機能部
３  内部データ管理部
４  表示制御部
５  通信部
６  音声制御部
７  表示機能部
８  音声機能部
９  表示部
１０  音声出力部
【図１】
2006064235.tif 000003
【図２】
2006064235.tif 000004
【図３】
2006064235.tif 000005